(57)【要約】【課題】長さ違いのＬＥＤモジュールであっても、１種類の防浸ケースで対応でき、放熱性のよい防浸構造のＬＥＤユニットを提供する。【解決手段】防浸形ＬＥＤユニット１は、ＬＥＤモジュール用防浸ケース３、ＬＥＤモジュール２、ＬＥＤモジュール２をＬＥＤモジュール取付面３ｂに押し当てて固定する固定部材４、下面カバー６、下面カバー６を封止するパッキン５−１、５−２、両端の開口を封止するパッキン７−１、７−２及びパッキン７−１、７−３をＬＥＤモジュール用防浸ケース３に取り付ける取付金具８−１、８−２を備える。防浸形ＬＥＤユニット１は、細長形状のＬＥＤモジュール２を固定部材４によってＬＥＤモジュール取付面３ｂに押し当て固定する構成であるので、長さ違いのＬＥＤモジュールであっても、１種類の防浸ケースで対応できる。また、パッキン５−１、５−２、パッキン７−１、７−２で封止するので、防浸性を確保することができる。【選択図】図２
2013254579.tif 000002
【特許請求の範囲】
【請求項１】
長手方向に延びる天板であって一方の面に相手部品と係合する天板側係合部が形成された天板と、前記天板側係合部が形成された前記一方の面から起立し、前記長手方向に延びる前記天板に対して前記長手方向に延びる側面をなす第１の側板と、前記第１の側板に対向する第２の側板であって、前記一方の面から起立し、前記長手方向に延びる前記天板に対して前記長手方向に延びる側面をなす第２の側板とを有するケースと、
前記第１の側板と前記第２の側板との間の前記一方の面の側で前記長手方向に延びる平坦部である前記天板の天板側平坦部に、ＬＥＤが実装された実装面の裏面が対向して配置されると共に、前記天板の前記長手方向を長手方向とするＬＥＤ基板と、
前記天板側係合部と係合する前記相手部品である固定側係合部と、前記固定側係合部が前記天板側係合部と係合すると前記ＬＥＤ基板の前記実装面を押し圧することで前記ＬＥＤ基板の前記裏面を前記天板側平坦部に押し当てて、前記ＬＥＤ基板を前記天板側平坦部に固定する押当部とを有するＬＥＤ基板固定部材と、
前記天板の前記長手方向にわたって前記第１の側板と、第２の側板との起立方向の端部の間を塞ぐ側板間カバーと、
前記側板間カバーと前記第１の側板の端部との間を封止する第１の側板パッキン及び前記側板間カバーと前記第２の側板の端部との間を封止する第２の側板パッキンと、
前記天板と、前記第１の側板と、前記第２の側板と、前記側板間カバーとから形成される前記天板の前記長手方向における手前側と向こう側とのそれぞれの開口を封止する手前側パッキン及び向こう側パッキンと、
前記手前側パッキン及び前記向こう側パッキンのそれぞれを前記ケースに取り付ける手前側パッキン取付具、及び向こう側パッキン取り付け具と
を備えたことを特徴とする防浸形ＬＥＤユニット。
【請求項２】
前記ケースの前記天板は、
前記一方の面の裏側となる外側面に前記天板の前記長手方向に延びる放熱フィンを有することを特徴とする請求項１記載の防浸形ＬＥＤユニット。
【請求項３】
前記ＬＥＤ基板固定部材は、
前記ＬＥＤの発する光を反射する反射部を有することを特徴とする請求項１または２のいずれかに記載の防浸形ＬＥＤユニット。
【請求項４】
長手方向に延びる天板であって一方の面に相手部品と係合する天板側係合部が形成された天板と、前記天板側係合部が形成された前記一方の面から起立し、前記長手方向に延びる前記天板に対して前記長手方向に延びる側面をなす第１の側板と、前記第１の側板に対向する第２の側板であって、前記一方の面から起立し、前記長手方向に延びる前記天板に対して前記長手方向に延びる側面をなす第２の側板とを有するケースと、
前記第１の側板と前記第２の側板との間の前記一方の面の側で前記長手方向に延びる平坦部である前記天板の天板側平坦部に、ＬＥＤが実装された実装面の裏面が対向して配置されると共に、前記天板の前記長手方向を長手方向とするＬＥＤ基板と、
前記天板側係合部と係合する前記相手部品である固定側係合部と、前記固定側係合部が前記天板側係合部と係合すると前記ＬＥＤ基板の前記実装面を押し圧することで前記ＬＥＤ基板の前記裏面を前記天板側平坦部に押し当てて、前記ＬＥＤ基板を前記天板側平坦部に固定する押当部とを有するＬＥＤ基板固定部材と、
前記天板の前記長手方向にわたって前記第１の側板と、第２の側板との起立方向の端部の間を塞ぐ側板間カバーと、
前記側板間カバーと前記第１の側板の端部との間を封止する第１の側板パッキン及び前記側板間カバーと前記第２の側板の端部との間を封止する第２の側板パッキンと、
細長の中空形状をなし、内部空間に前記ＬＥＤ基板の前記ＬＥＤを点灯させる点灯装置が収納され、前記中空形状の長手方向の両端が開口であると共に前記天板の前記一方の面の裏側となる裏面の上方に前記中空形状の長手方向が前記天板の前記長手方向となるように配置された点灯装置収納ケースであって、
前記第１の側板の上方から前記裏面の近傍まで前記裏面との間に若干の隙間を残して起立し、前記天板の前記長手方向に前記第１の側板と略同じ長さ延びる第１の起立部と、
前記第２の側板の上方から前記裏面の近傍まで前記裏面との間に若干の隙間を残して起立し、前記天板の前記長手方向に前記第２の側板と略同じ長さ延びる第２の起立部と有する点灯装置収納ケースと、
前記点灯装置収納ケースの前記両端の開口と、前記点灯装置収納ケースの前記天板の前記長手方向における手前側と向こう側とのそれぞれの前記第１の起立部と前記第２起立部との端部と、前記天板と前記第１の側板と第２の側板と前記側板間カバーとから形成される前記天板の前記長手方向における手前側と向こう側とのそれぞれの開口と、が存在する前記長手方向における手前側と向こう側との両端を塞ぐそれぞれの端部パッキンと、
前記それぞれの端部パッキンを前記両端に取り付ける前記端部パッキンごとの取り付け具と
を備えたことを特徴とする防浸形ＬＥＤ照明器具。
【発明の詳細な説明】
【技術分野】
【０００１】
この発明は、防浸形ＬＥＤユニット及び防浸形ＬＥＤ照明器具に関する。
【背景技術】
【０００２】
従来では、ＬＥＤが収納されたケース内に透明な充填材を注入し防水性及び放熱性を得る方法がある（例えば、特許文献１）。また、箱状の中にＬＥＤ及び導光板が収納され、開放部をパッキンと透明板とで封止し、防水性や高い輝度を得る技術がある（例えば、特許文献２）。
【先行技術文献】
【特許文献】
【０００３】
【特許文献１】特開２００５−３０２４８４号公報（段落「００２５」、図５参照。）
【特許文献２】特開２００１−１５５５２３号公報（段落「００２４」、図４〜６参照。）
【発明の概要】
【発明が解決しようとする課題】
【０００４】
従来のように充填材を注入する方法は、加工性とコストの面で難がある。また、箱状にＬＥＤと導光板を入れて封止する方法は寸法調整できず、寸法違いで種類を持つ必要があり、また放熱性と光学効率に劣る。
【０００５】
本発明は、コストがかからず組立作業が容易で、長さ違いのＬＥＤモジュールであっても、１種類の防浸ケースで対応できる防浸構造の提供を目的とする。また、放熱性のよい防浸構造の提供を目的とする。また、容易な組立作業で点灯装置を収納した点灯装置用防浸ケースと、防浸形ＬＥＤユニットとを組み合わせて、放熱性、防水性に優れた照明器具の提供を目的とする。
【課題を解決するための手段】
【０００６】
この発明の防浸形ＬＥＤユニットは、
長手方向に延びる天板であって一方の面に相手部品と係合する天板側係合部が形成された天板と、前記天板側係合部が形成された前記一方の面から起立し、前記長手方向に延びる前記天板に対して前記長手方向に延びる側面をなす第１の側板と、前記第１の側板に対向する第２の側板であって、前記一方の面から起立し、前記長手方向に延びる前記天板に対して前記長手方向に延びる側面をなす第２の側板とを有するケースと、
前記第１の側板と前記第２の側板との間の前記一方の面の側で前記長手方向に延びる平坦部である前記天板の天板側平坦部に、ＬＥＤが実装された実装面の裏面が対向して配置されると共に、前記天板の前記長手方向を長手方向とするＬＥＤ基板と、
前記天板側係合部と係合する前記相手部品である固定側係合部と、前記固定側係合部が前記天板側係合部と係合すると前記ＬＥＤ基板の前記実装面を押し圧することで前記ＬＥＤ基板の前記裏面を前記天板側平坦部に押し当てて、前記ＬＥＤ基板を前記天板側平坦部に固定する押当部とを有するＬＥＤ基板固定部材と、
前記天板の前記長手方向にわたって前記第１の側板と、第２の側板との起立方向の端部の間を塞ぐ側板間カバーと、
前記側板間カバーと前記第１の側板の端部との間を封止する第１の側板パッキン及び前記側板間カバーと前記第２の側板の端部との間を封止する第２の側板パッキンと、
前記天板と、前記第１の側板と、前記第２の側板と、前記側板間カバーとから形成される前記天板の前記長手方向における手前側と向こう側とのそれぞれの開口を封止する手前側パッキン及び向こう側パッキンと、
前記手前側パッキン及び前記向こう側パッキンのそれぞれを前記ケースに取り付ける手前側パッキン取付具、及び向こう側パッキン取り付け具と
を備えたことを特徴とする。
【発明の効果】
【０００７】
本発明により、長さ違いのＬＥＤモジュールであっても、１種類の防浸ケースで対応できる防浸構造のＬＥＤユニットを提供できる。
【図面の簡単な説明】
【０００８】
【図１】実施の形態１の防浸形ＬＥＤユニット１の斜視図。
【図２】実施の形態１の防浸形ＬＥＤユニット１の分解斜視図。
【図３】実施の形態１の防浸形ＬＥＤユニット１の縦断面図。
【図４】実施の形態１の支持部４ｃを示す固定部材４の斜視図。
【図５】実施の形態１の防浸形ＬＥＤユニット１の変形例を示す斜視図。
【図６】実施の形態１の防浸形ＬＥＤユニット１の変形例を示す分解斜視図。
【図７】実施の形態１の防浸形ＬＥＤユニット１の変形例を示す断面図。
【図８】実施の形態２の照明器具９の斜視図。
【図９】実施の形態２の照明器具９の分解斜視図。
【図１０】実施の形態２の照明器具９の縦断面図。
【発明を実施するための形態】
【０００９】
実施の形態１．
図１は、本実施の形態１の防浸形ＬＥＤユニット１を示す斜視図であり、図２は、図１に示す防浸形ＬＥＤユニット１の分解斜視図である。図３は図１に示す防浸形ＬＥＤユニット１の断面図である。
【００１０】
（防浸形ＬＥＤユニット１）
防浸形ＬＥＤユニット１は、ＬＥＤモジュール２と、ＬＥＤモジュール用防浸ケース３と、固定部材４と、パッキン５−１，５−２と、下面カバー６と、パッキン７−１，７−２と、取付金具８−１，８−２とを備える。
（１）ＬＥＤモジュール２（ＬＥＤ基板）は、基板２−１に複数のＬＥＤ２−２が実装される。
（２）ＬＥＤモジュール用防浸ケース３は、ＬＥＤモジュール２が取り付けられる。ＬＥＤモジュール用防浸ケース３は、金属製であり、例えばアルミ製である。
（３）固定部材４は、ＬＥＤモジュール用防浸ケース３にＬＥＤモジュール２を固定し、あわせてＬＥＤモジュール２の反射板としての機能を有する。
（４）長尺状のパッキン５−１，５−２はＬＥＤモジュール用防浸ケース３に取り付けられる。
（５）下面カバー６は、パッキン５−１，５−２を介してＬＥＤモジュール用防浸ケース３に取り付つけられるとともに、ＬＥＤモジュール２から発する光を透過する。
（６）パッキン７−１，７−２は、弾性体からなり、後述するＬＥＤモジュール用防浸ケース３の長手方向の両端の開口１６を塞ぐことができる大きさを持った平板状に形成されている。パッキン７−１、７−２は図２に示すように、一部に電線導出用穴７−１−２、７−２−２を形成した肉厚部７−１−１、７−２−１と、周辺部にネジ用穴７−１−３、７−２−３とが形成されている。
（７）取付金具８−１，８−２は、パッキン７−１、７−２とほぼ同じ大きさを持った平板状である。取付金具８−１、８−２は、図２に示すように、パッキン７−１、７−２に重ね合わせた状態で肉厚部７−１−１、７−２−１が突出する窓穴８−１−１、８−２−１と、周辺部にネジ穴８−１−３、８−２−３とが形成されている。
【００１１】
（ＬＥＤモジュール用防浸ケース３）
ＬＥＤモジュール用防浸ケース３は、図２、図３のように、外郭形状が凸状かつ内郭形状が凹状に形成され、凹状の両内壁側にスリットが切られ、一部が「Ｃ」字状に形成される金具固定部３ａ（雌ネジ機構、図３）と、凹状の内壁の天面側に設けられ、ＬＥＤモジュール２が取り付けられるＬＥＤモジュール取付面３ｂ（図２）と、このＬＥＤモジュール取付面３ｂの両側壁端部はフランジ状に形成される引掛部３ｃ−１（図３）と、凹状の開口部分に形成される２つの平面部３ｄ（パッキン５−１，５−２の装着平面、図３）を有する。
【００１２】
（固定部材４）
固定部材４は、図２、図３のように、引掛部３ｃ−１に係合させる爪部４ａと、ＬＥＤモジュール２に設けられるＬＥＤ２−２が臨むように頂部が開口するとともに、四面が斜めに形成される凹状に形成される反射部４ｂと、頂部（後述の支持部４ｃ）でＬＥＤモジュール２の基板に接し、ＬＥＤモジュール２をＬＥＤモジュール取付面３ｂに押し当てる支持部４ｃ（図３）とを備える。
【００１３】
（防浸形ＬＥＤユニット１の組み立て方法）
次に、防浸形ＬＥＤユニット１の組み立て方法について説明する。
（１）まず、ＬＥＤモジュール用防浸ケース３（ＬＥＤモジュール取付面３ｂ）にＬＥＤモジュール２を載せる。この状態では、ＬＥＤモジュール２がＬＥＤモジュール用防浸ケース３から外れてしまうので、ＬＥＤモジュール２に覆いかぶさるように、固定部材４をＬＥＤモジュール用防浸ケース３に取り付ける。図３のように、固定部材４の爪部４ａが引掛部３ｃ−１に引っ掛かるように取り付けられ、図４の説明で後述する支持部４ｃがＬＥＤモジュール２の基板に接触して（実装面２Ａを押し圧して）、ＬＥＤモジュール２をＬＥＤモジュール取付面３ｂに押し当てる。
【００１４】
（２）次に、パッキン５−１，５−２を平面部３ｄ（図３）に接着剤などで取り付け、下面カバー６をパッキン５−１、５−２に接着剤で取り付ける。このようにすることで、下面カバー６とパッキン５−１、５−２によりＬＥＤモジュール用防浸ケース３の固定部材４と対向する開口面側を密閉することができる。
【００１５】
（３）次に、パッキン７−１の電線導出用穴７−１−２、ＬＥＤモジュール２に接続された電線を密接状態に挿通し、パッキン７−１の表面に取付金具８−１を重ね合わせる。そして、取付金具８−１をパッキン７−１が内側になるようにＬＥＤモジュール用防浸ケース３の長手方向の端部の開口１６の縁に当接させる。このような状態で取付金具８−１とパッキン７−１のネジ穴８−１−３、７−１−３にネジを挿通してＬＥＤモジュール用防浸ケース３の縁部の雌ネジ（金具固定部３ａの雌ネジ機構）に螺合し固定する。このときパッキン７−１は、下面カバー６の端部にも同時に当接させている。ＬＥＤモジュール用防浸ケース３の長手方向の他端側の開口も同様にしてパッキン７−２を取付金具８−２を用いて取り付ける。このようにすることで、ＬＥＤモジュール用防浸ケース３の解放面がすべて密閉され内部の防浸性を保つことができる。
【００１６】
なお、パッキン５−１，５−２の両面は、予め接着可能な（例えば両面テープのように両面に粘着性部材を装着している）状態としてもよい。
【００１７】
以下に、防浸形ＬＥＤユニット１の構成をさらに具体的に説明する。
【００１８】
（ＬＥＤモジュール用防浸ケース３）
図２のように、ＬＥＤモジュール用防浸ケース３（ケース）は、天板３０と、第１の側板３１と、第２の側板３２とからなる。天板３０は、長手方向Ｌに延びる。天板３０は、裏面３０−１（一方の面）に、相手部品と係合する天板側係合部３ｃ（図３）が形成されている。この天板側係合部３ｃは、引掛部３ｃ−１と、爪部４ａが差し込まれる差込空間３ｃ−２とから構成される。図２のように、第１の側板３１は、天板側係合部３ｃが形成された裏面３０−１から起立し、長手方向Ｌに延びる天板３０に対して、長手方向Ｌに延びる側面をなす。また第２の側板３２は、第１の側板３１に対向すると共に裏面３０−１から起立し、長手方向Ｌに延びる天板３０に対して長手方向Ｌに延びる側面をなす。
【００１９】
（ＬＥＤモジュール２）
図２のように、ＬＥＤモジュール２は、天板３０の長手方向Ｌを長手方向とする。ＬＥＤモジュール２（ＬＥＤ基板）は、基板２−１とＬＥＤ２−２とを備える。ＬＥＤモジュール２は、第１の側板３１と第２の側板３２との間の裏面３０−１側で長手方向Ｌに延びる平坦部である天板３０のＬＥＤモジュール取付面３ｂ（天板側平坦部）に、ＬＥＤ２−２が実装された実装面２Ａの裏面２Ｂが対向して配置される。
【００２０】
（固定部材４）
固定部材４（ＬＥＤ基板固定部材）は、爪部４ａ（固定側係合部）と支持部４ｃ（押当部）とを備える（図３）。爪部４ａは、天板側係合部３ｃと係合する相手部品である。図４は、支持部４ｃを示す固定部材４の斜視図である。図４に示すように、支持部４ｃは、反射部４ｂのＬＥＤモジュール２の実装面２Ａに対向する位置に形成されている。具体的には、図４に９箇所の破線の楕円で支持部４ｃを示した。支持部４ｃは、図３のように爪部４ａが天板側係合部３ｃと係合すると、ＬＥＤモジュール２の実装面２Ａを押し圧することでＬＥＤモジュール２の裏面２ＢをＬＥＤモジュール取付面３ｂに押し当てて、ＬＥＤモジュール２をＬＥＤモジュール取付面３ｂに固定する。つまり、図４のように一つの楕円には２つの支持部４ｃが示されているが、爪部４ａが天板側係合部３ｃと係合すると、各楕円に示した各支持部４ｃがＬＥＤモジュール２の基板２−１の表面を押し圧し（図３）、ＬＥＤモジュール２をＬＥＤモジュール取付面３ｂに固定する。
【００２１】
（下面カバー６）
図２あるいは図１に示すように下面カバー６（側板間カバー）は、天板３０の長手方向Ｌにわたって第１の側板３１と、第２の側板３２との起立方向の端部の間を塞ぐ。
【００２２】
（パッキン５−１，５−２）
図２、図３に示すように、パッキン５−１（第１の側板パッキン）は、下面カバー６と第１の側板３１の端部との間を封止する。また、パッキン５−２（第２の側板パッキン）は、下面カバー６と第２の側板３２の端部との間を封止する。
【００２３】
（パッキン７−１，７−２）
図２に示すように、パッキン７−１（手前側パッキン）及びパッキン７−２（向こう側パッキン）は、天板３０と、第１の側板３１と、第２の側板３２と、下面カバー６とから形成される天板３０の長手方向Ｌにおける手前側（パッキン７−１の側）と向こう側（パッキン７−２の側）とのそれぞれの開口１６を封止する。ここで開口１６とは、例えば図３に示すＡＢＢ’ＣＤＥＦＡ’Ａを直線で結んでできる図形に対応するような開口である。
【００２４】
（取付金具８−１、８−２）
取付金具８−１（手前側パッキン取付具）及び取付金具８−２（向こう側パッキン取り付け具）は、パッキン７−１及びパッキン７−２をそれぞれをＬＥＤモジュール用防浸ケース３に取り付ける金具である。なお、手前側、向こう側とは、図８に示した。
【００２５】
また、ＬＥＤモジュール用防浸ケース３の天板３０は、裏面３０−１面の裏側となる外側面３０−２（図３）に、天板３０の長手方向Ｌに延びる放熱フィン３ｆ（図２、図３）を有する。
【００２６】
次に、図５、図６、図７を参照して、この実施の形態１の変形例を示す。上記の図１〜図３に示した防浸形ＬＥＤユニット１では、パッキン５−１，５−２をＬＥＤモジュール用防浸ケース３と下面カバー６とに接着により取り付ける場合を説明した。図５〜図７に示す変形例（特に図７に現れている）は、ＬＥＤモジュール用防浸ケース３にカバー取付用スリット３ｅ（図７）を設けた。このカバー取付用スリット３ｅに下面カバー６を嵌めこんで、下面カバー６をカバー取付用スリット３ｅに嵌め込んだパッキン５に押し当て、ＬＥＤモジュール用防浸ケース３の内部の防浸性を高める。
【００２７】
実施の形態１の防浸形ＬＥＤユニット１は、細長形状のＬＥＤモジュール２を固定部材４によってＬＥＤモジュール取付面３ｂに押し当て固定する構成であるので、長さ違いのＬＥＤモジュールであっても、１種類の防浸ケースで対応できる。また、パッキン５−１、５−２、パッキン７−１、７−２で封止するので、防浸性を確保できる。さらに、ＬＥＤモジュール２が押し当てられるＬＥＤモジュール用防浸ケース３には外側に放熱フィン３ｆが形成されているので、高い放熱性を得ることができる。
【００２８】
（１）以上に説明した防浸形ＬＥＤユニット１によれば、ＬＥＤモジュール用防浸ケースの引っ掛け部にＬＥＤモジュール固定部材の爪で取り付けることによりＬＥＤモジュールを確実に固定、密着することができ、放熱性をよくすることができる。
（２）さらに前記防浸ケース外郭上面側に線状に凸部（放熱フィン３ｆ）を設けることで放熱性をより高めることができる。
（３）また、下方のフランジ部分にフランジ用パッキンと下方開口部全体を覆う下面カバーを取り付け、両端に開口部を両端用のパッキンとＬＥＤモジュール用防浸ケースに取り付ける取付金具で閉塞することで、防水性を得ることができる。
【００２９】
実施の形態２．
図８〜図１０を参照して実施の形態２の照明器具９（防浸形ＬＥＤ照明器具）を説明する。図８は、本実施の形態２の照明器具９を示す斜視図であり、図９は、図８に示す照明器具９の分解斜視図である。図１０は図８に示す照明器具９の断面図である。
【００３０】
この実施の形態２における照明器具９は、実施の形態１の防浸形ＬＥＤユニット１を構成する部品を一部流用したものである。この一部流用とは、具体的には、図２の防浸形ＬＥＤユニット１から、端部開口を塞ぐ、パッキン７−１、７−２、取付金具８−１、８−２を除いた構成の防浸形ＬＥＤユニット１を用いる。この構成を半完成防浸形ＬＥＤユニット２２（図９）と記す。
【００３１】
（照明器具９）
照明器具９は、図９に示すように、半完成防浸形ＬＥＤユニット２２と、ＬＥＤモジュール２に電力を供給し、ＬＥＤモジュール２のＬＥＤ２−２を点灯する点灯装置１１が収納されるとともに、ＬＥＤモジュール用防浸ケース３が取り付けられる点灯装置用防浸ケース１２と、点灯装置用防浸ケース１２の長手方向の両端部に取り付けられるパッキン１３−１，１３−２と、パッキン１３を点灯装置用防浸ケース１２に押さえつけるとともに、ＬＥＤモジュール用防浸ケース３を点灯装置用防浸ケース１２に固定する取付金具１４−１，１４−２とを備える。ここで、半完成防浸形ＬＥＤユニット２２とは、冒頭で述べたように、ＬＥＤモジュール２と、ＬＥＤモジュール用防浸ケース３と、固定部材４と、パッキン５−１，５−２と、下面カバー６とを備える。
【００３２】
照明器具９は、図８、図１０に示すように、ＬＥＤモジュール用防浸ケース３と点灯装置用防浸ケース１２の間に、隙間１５Ａ、１５Ｂを有する。この隙間１５Ａ，１５Ｂを設けることにより、ＬＥＤモジュール２の発する熱が、ＬＥＤモジュール用防浸ケース３と点灯装置用防浸ケース１２との間に溜まらずに、隙間１５Ａ、１５Ｂから外部に放熱される。したがって、ＬＥＤモジュール２の熱によって点灯装置１１が加熱される影響が少なくなり、また、点灯装置１１の熱によってＬＥＤモジュール２が加熱される影響が少なくなり、互いが発する熱の影響を少なくすることができる。
【００３３】
また、ＬＥＤモジュール用防浸ケース３（半完成ＬＥＤモジュール用防浸ケース２２）使用することで、ＬＥＤモジュール２の防浸性を保つことができ、かつ、点灯装置用防浸ケース１２によって、点灯装置１１の防浸性を保つことができる。
【００３４】
図８〜図１０を参照して照明器具９の構成を詳しく説明する。
【００３５】
（点灯装置用防浸ケース１２）
点灯装置用防浸ケース１２（点灯装置収納ケース）は、図９に示すように、細長の中空形状をなしており、内部空間にＬＥＤモジュール２のＬＥＤ２−２を点灯させる点灯装置１１が収納されている。点灯装置用防浸ケース１２は、中空形状の長手方向の両端が開口している（開口１２−１、１２−２）。点灯装置用防浸ケース１２は、図９、図１０に示すように、ＬＥＤモジュール用防浸ケース３の天板３０の外側面３０−２の上方に、中空形状の長手方向Ｌ−１が天板３０の長手方向Ｌとなるように配置される。また点灯装置用防浸ケース１２は、図９のように第１の起立部１２Ａと第２の起立部１２Ｂを有する。第１の起立部１２Ａは、図１０のように第１の側板３１の上方から外側面３０−２の近傍まで外側面３０−２との間に若干の隙間１５Ａを残して起立し、図９のように天板３０の長手方向Ｌに第１の側板３１と略同じ長さ延びる。同様に、第２の起立部１２Ｂは、図１０のように第２の側板３２の上方から外側面３０−２の近傍まで外側面３０−２との間に若干の隙間１５Ｂを残して起立し、天板３０の長手方向Ｌに第２の側板３２と略同じ長さ延びる。
【００３６】
（パッキン１３−１，１３−２）
それぞれのパッキン１３−１，１３−２は、
（イ）点灯装置用防浸ケース１２の両端の開口１２−１，１２−２と、
（ロ）点灯装置用防浸ケース１２の長手方向Ｌ（図８）における手前側と向こう側とのそれぞれの第１の起立部１２Ａと第２の起立部１２Ｂとの端部１２Ａ−１、１２Ｂ−１と、（ハ）天板３０と第１の側板３１と第２の側板３２と下面カバー６とから形成される長手方向Ｌにおける手前側と向こう側とのそれぞれの開口１６と、
が存在する長手方向Ｌにおける手前側と向こう側との両端の開口を塞ぐ大きさを有する平板状である。この「開口」とは、図１０に示すように、例えば、ＡＢＣＤＡを直線で結んでできる図形に対応するような開口である。
なお、パッキン１３−１、１３−２には、その一部に肉厚部１３−１−１、１３−２−１が設けられ、この肉厚部にＬＥＤモジュール２と電気的につながれた電線を外部に導出するための電線導出用穴１３−１−２、１３−２−２と、周辺部にネジ穴１３−１−３、１３−２−３が形成されている。
【００３７】
（取付金具１４−１，１４−２）
取付金具１４−１，１４−２は、それぞれのパッキン１３−１，１３−２を半完成防浸形ＬＥＤユニット２２と点灯装置用防浸ケース１２との両端に取り付ける。取付金具１４−１、１４−２には、図８、図９に示すように、それぞれ４つのネジ用穴１４−１−３、１４−２−３が開けられている。この４つのネジ用穴１４−１−３、１４−２−３は、図１０に示す雌ネジ６１〜６４に対応している。よって、取付金具１４−１、１４−２を雄ネジで雌ネジ６１〜６４に取り付けることで、端部を塞ぎつつ、半完成防浸形ＬＥＤユニット２２と点灯装置用防浸ケース１２とを一体に組み付けることができる。取付金具１４−１、１４−２は、パッキン１３−１、１３−２の表面に、その肉厚部１３−１−１、１３−２−１が、取付金具１４−１、１４−２に設けられた開口部１４−１−１、１４−２−１からから突出するように重ねられて点灯装置用防浸ケース１２と半完成防浸形ＬＥＤユニット２２との両端部に取り付けられている。取付金具１４−１，１４−２は、図８、図９に示すように、それぞれ４つのネジ用穴１４−１−３、１４−２−３が開けられている。この４つのネジ用穴は、図９に示すように点灯装置用防浸ケース１２と半完成防浸形ＬＥＤユニット２２との両端に予め設けられた雌ネジ６１〜６４に対応して位置している。よって、取付金具１４−１，１４−２のネジ用穴から同様な位置にネジ用穴を形成したパッキン１３−１，１３−２を通して各雄ネジを雌ネジ６１〜６４と螺合することにより取付金具１４−１，１４−２及びパッキン１３−１，１３−２を点灯装置用防浸ケース１２と半完成防浸形ＬＥＤユニット２２との両端部に一体に取り付けることができる。
【００３８】
実施の形態２の照明器具９は、防浸形ＬＥＤユニットと、点灯装置が収納された点灯装置用防浸ケースとを組み合わせ時に隙間１５Ａ，１５Ｂできるようにした。よって、隙間１５Ａ、１５Ｂから空気の流路を得ることができ、放熱性、防水性に優れた照明器具として使用することができる。
【００３９】
実施の形態１及び２において、取付金具はパッキンと同じ大きさを有する平板形状としてその周縁部をパッキンと共にＬＥＤモジュール用防浸ケース３にネジで取り付けるようにしている。ＬＥＤモジュール用防浸ケース３の両端開口をパッキンが密閉状態になるように取り付けるため、少なくともネジ用穴が形成されるだけの所定幅を有し、パッキンの周縁部に沿った形状を有する枠体からなる取付金具であってもよい。
【００４０】
以上、実施の形態１、２を説明したが、これらの実施の形態のうち、２つを組み合わせて実施しても構わない。あるいは、これらの実施の形態のうち、１つを部分的に実施しても構わない。あるいは、これらの実施の形態のうち、２つを部分的に組み合わせて実施しても構わない。
【符号の説明】
【００４１】
１  防浸形ＬＥＤユニット、１１  点灯装置、１２  点灯装置用防浸ケース、１２−１，１２−２  開口、１２Ａ  第１の起立部、１２Ｂ  第２の起立部、１３−１，１３−２  パッキン、１４−１，１４−２  取付金具、１５Ａ，１５Ｂ  隙間、１６  開口、２  ＬＥＤモジュール、２−１  基板、２−２  ＬＥＤ、２２  半完成防浸形ＬＥＤユニット、３  ＬＥＤモジュール用防浸ケース、３ａ  金具固定部、３ｂ  ＬＥＤモジュール取付面、３ｃ  天板側係合部、３ｃ−１  引掛部、３ｃ−２  差込空間、３ｄ  平面部、３ｅ  カバー取付用スリット、３ｆ  放熱フィン、３０  天板、３１  第１の側板、３２  第２の側板、４  固定部材、４ａ  爪部、４ｂ  反射部、４ｃ  支持部、５−１，５−２  パッキン、６  下面カバー、６１，６２，６３，６４  雌ネジ、７−１，７−２  パッキン、７−１−１，８−１，８−２  取付金具、９  照明器具。
【図１】
2013254579.tif 000003
【図２】
2013254579.tif 000004
【図３】
2013254579.tif 000005
【図４】
2013254579.tif 000006
【図５】
2013254579.tif 000007
【図６】
2013254579.tif 000008
【図７】
2013254579.tif 000009
【図８】
2013254579.tif 000010
【図９】
2013254579.tif 000011
【図１０】
2013254579.tif 000012